(57)【特許請求の範囲】
【請求項１】
ヘッドボックスから日射遮蔽材が吊下支持され、前記日射遮蔽材の下端部にボトムレールが吊下支持された日射遮蔽装置において、
前記ボトムレールの揺れを検出する検出素子と、
前記検出素子から出力される検出信号に基づいて、警報を発する警報装置と
を備えたことを特徴とする防犯装置を備えた日射遮蔽装置。
【請求項２】
前記検出素子を作動状態に設定する設定スイッチと、前記検出素子の作動を解除する解除スイッチとを備えたことを特徴とする請求項１記載の防犯装置を備えた日射遮蔽装置。
【請求項３】
前記設定スイッチの操作に基づいて、所定時間後に前記検出素子を作動状態とするタイマーを備えたことを特徴とする請求項２記載の防犯装置を備えた日射遮蔽装置。
【請求項４】
前記検出素子が作動状態であるか否かを表示する表示装置を備えたことを特徴とする請求項２または３記載の防犯装置を備えた日射遮蔽装置。
【請求項５】
前記検出素子は、揺動センサーで構成し、前記警報装置は前記揺動センサーから出力される検出信号に基づいて警報音を発する警報ブザーで構成したことを特徴とする請求項１乃至４のいずれかに記載の防犯装置を備えた日射遮蔽装置。
【発明の詳細な説明】
【０００１】
【発明の属する技術分野】
この発明は、外部からの侵入者に対する防犯機能を備えた日射遮蔽装置に関するものである。
【０００２】
【従来の技術】
特開平９−２１２７８号公報には、防犯機能を備えたブラインドが開示されている。
【０００３】
このブラインドは、スラットに検出線が内装され、スラットの破壊に基づいて検出線が断線されると、スラットの破壊を電気的に検出して、警報を発するように構成されている。
【０００４】
従って、外部からの侵入者が室内に侵入するためにスラットを破壊すると、警報を発して、侵入者を検出するようになっている。
【０００５】
【発明が解決しようとする課題】
ところが、上記のようなブラインドでは、スラットが破壊された場合にのみ、侵入者を検出可能であり、スラットが破壊されない場合には検出不可能である。従って、十分な防犯効果を得ることはできない。
【０００６】
また、スラットが一旦破壊されて検出線が切断された場合には、そのスラットを補修して、防犯機能の回復を図る必要があり、その作業が煩雑であるとともに、修繕コストも高くなるという問題点がある。
【０００７】
この発明の目的は、十分な防犯機能を確保しながら、防犯機能の作動後にその補修を必要としない日射遮蔽装置を提供することにある。
【０００８】
【課題を解決するための手段】
請求項１では、ヘッドボックスから日射遮蔽材が吊下支持され、前記日射遮蔽材の下端部にボトムレールが吊下支持された日射遮蔽装置において、前記ボトムレールの揺れを検出する検出素子と、前記検出素子から出力される検出信号に基づいて、警報を発する警報装置とを備えた。
【０００９】
請求項２では、前記検出素子を作動状態に設定する設定スイッチと、前記検出素子の作動を解除する解除スイッチとを備えた。
請求項３では、前記設定スイッチの操作に基づいて、所定時間後に前記検出素子を作動状態とするタイマーを備えた。
【００１０】
請求項４では、前記検出素子が作動状態であるか否かを表示する表示装置を備えた。
請求項５では、前記検出素子は、揺動センサーで構成し、前記警報装置は前記揺動センサーから出力される検出信号に基づいて警報音を発する警報ブザーで構成した。
【００１１】
【発明の実施の形態】
以下、この発明を具体化した横型ブラインドの一実施の形態を図面に従って説明する。
【００１２】
図１に示す横型ブラインドは、ヘッドボックス１からラダーコード２を介して多数段のスラット３が吊下支持され、前記ラダーコード２の下端にはボトムレール４が取着されている。
【００１３】
前記スラット３にはヘッドボックス１から吊下支持される昇降コード５が挿通され、その昇降コード５の一端は、ヘッドボックス１内をその一端側へ案内されて同ヘッドボックス１から垂下され、コードイコライザ６を介して操作コード７が接続されている。前記昇降コード５の他端には、前記ボトムレール４が吊下支持されている。
【００１４】
従って、操作コード７の操作により昇降コード５をヘッドボックス１から引き出し、あるいはボトムレール４の重量によりヘッドボックス１内に引き込ませることにより、ボトムレール４を昇降可能であり、ボトムレール４の昇降に基づいて各スラット３を昇降可能となっている。
【００１５】
前記ヘッドボックス１の一端部には操作棒８が垂下され、その操作棒８の回転操作により、ヘッドボックス１内に配設されたスラット角度調節装置を介して、前記スラット３を同位相で角度調節可能となっている。
【００１６】
前記ボトムレール４の一端には、揺動センサー９が取着されている。この揺動センサー９は、ボトムレール４の揺れを検出して侵入者の侵入を検出する防犯装置の検出素子として機能する。
【００１７】
前記防犯装置の電気的構成を図２に従って説明する。電源１０の高電位側端子と低電位側端子との間には、設定スイッチ１１と、解除スイッチ１２と、リレーコイル１３が直列に接続されている。
【００１８】
前記設定スイッチ１１は、この防犯装置の作動を設定する際に押圧するスイッチであり、その押圧時にのみ導通状態となる常開スイッチである。
前記解除スイッチ１２は、この防犯スイッチの作動を解除する場合に押圧するスイッチであり、その押圧時にのみ不導通状態となる常閉スイッチである。
【００１９】
電源１０の高電位側端子と低電位側端子との間には、リレー接点１３ａとタイマー１４が直列に接続される。また、前記リレー接点１３ａの低電位側端子は、前記解除スイッチ１２の高電位側端子に接続される。前記リレー接点１３ａは、前記リレーコイル１３の励磁に基づいて導通状態となる常開接点である。
【００２０】
従って、設定スイッチ１１が押圧されると、リレーコイル１３が励磁され、リレー接点１３ａが導通状態となり、リレーコイル１３は励磁状態に自己保持される。そして、設定スイッチ１１が押圧されると、タイマー１４に電源１０の供給が開始され、設定スイッチ１１の押圧解除後も、リレー接点１３ａが導通状態に維持されるため、タイマー１４への電源１０の供給が維持される。
【００２１】
前記タイマー１４は、電源１０の供給に基づいて時間のカウントアップ動作を開始し、所定時間経過後に接点１４ａを導通状態とする。前記接点１４ａは、タイマー１４のカウントアップ信号に基づいて導通状態となる常開接点である。
【００２２】
また、解除スイッチ１２が押圧されると、リレーコイル１３への励磁電流が遮断されるため、接点１３ａが開路されて、タイマー１４への電源供給が遮断されて、タイマー１４がリセットされる。
【００２３】
電源１０の高電位側端子と低電位側端子との間には、前記接点１４ａと揺動センサー９が直列に接続され、発光ダイオード１５が揺動センサー９に対し並列に接続されている。
【００２４】
そして、前記接点１４ａが導通状態となると、揺動センサー９に電源１０が供給されるとともに、発光ダイオード１５が点灯される。
前記揺動センサー９は、電源供給に基づいて活性化されて、前記ボトムレール４の揺動を検出可能な作動状態となり、揺動を検出したとき、接点９ａを導通状態とする。また、発光ダイオード１５はその点灯に基づいて、揺動センサー９が作動状態であることを表示する。
【００２５】
接点９ａは、揺動センサー９の検出信号に基づいて導通状態となる常開接点である。
電源１０の高電位側端子と低電位側端子との間には、前記接点９ａと警報ブザー１６が直列に接続されている。前記接点９ａが導通状態となると、警報ブザー１６に電源１０が供給されて、警報音が発せられるようになっている。
【００２６】
このような防犯装置は、ボトムレール４内に収容するか、あるいは揺動センサー９を除いた部分を壁面等に取着して、揺動センサー９と電気的に接続する構成としてもよい。
【００２７】
次に、上記のように構成された防犯装置の動作を図３に従って説明する。
就寝時あるいは外出時に、設定スイッチ１１が押圧されると（ステップ１）、タイマー１４がカウントアップ動作を開始し（ステップ２）、所定時間後にタイマー１４がカウントアップを終了すると（ステップ３）、揺動センサー９に電源１０が供給されるとともに（ステップ４）、発光ダイオード１５が点灯される。
【００２８】
この状態で、ボトムレール４が揺れると（ステップ５）、警報ブザー１６が警報音を発する（ステップ６）。ボトムレール４の揺動が停止すると、警報音は停止され、解除スイッチ１２が押圧されるまで、このような動作を繰り返す（ステップ５〜７）。
【００２９】
解除スイッチ１２が押圧されると、タイマー１４がリセットされて揺動センサー９への電源供給が遮断され、揺動センサー９が不作動状態となって、防犯装置の作動が解除される（ステップ８）。
【００３０】
上記のように構成された防犯装置を備えた横型ブラインドでは、次に示す作用効果を得ることができる。
（１）防犯装置を作動させた状態では、ボトムレール４の振動に基づいて警報音を発することができる。従って、この横型ブラインドを窓の内側に設置すれば、窓から侵入する不審者がブラインドに触れてボトムレール４を揺らすと、警報音により不審者の侵入を確実に検知することができる。
（２）防犯装置の作動を解除すれば、ボトムレール４が揺れても警報音を発することはない。従って、防犯機能が不要な場合には、無用な警報音の出力を停止させることができる。
（３）ブラインドの破損に基づいて警報音を出力する構成ではないので、警報音の出力後にブラインドを補修する必要はない。従って、警報動作後の補修コストを削減することができる。
（４）設定スイッチ１１の押圧後、所定時間後に揺動センサー９の検出動作を開始させることができるので、設定スイッチ１１の押圧後所定時間内に居住者がブラインドを操作しても、無用な警告音が発せられることはない。
（５）発光ダイオード１５の点灯により、揺動センサー９が作動状態にあることを確認することができる。
（６）解除スイッチ１２の押圧により、警報音の停止及び防犯機能の解除を容易に行うことができる。
【００３１】
上記実施の形態は、次に示すように変更することもできる。
・前記揺動センサー９に代えて、ボトムレール４と床面あるいは窓枠等の距離の変化を検出する近接センサーを使用してもよい。
・横型ブラインドの他に、ロールブラインド、プリーツカーテン、たくし上げカーテン等に応用することもできる。
・警報装置は、警報動作時に室内を照明する照明装置で構成してもよい。
・警報装置は、警報ブザーの他、居住者に知らせるための任意の手段、あるいは外部の警備会社等に通報する装置としてもよい。
【００３２】
【発明の効果】
以上詳述したように、この発明は十分な防犯機能を確保しながら、防犯機能の作動後にその補修を必要としない日射遮蔽装置を提供することができる。
【図面の簡単な説明】
【図１】  一実施の形態の横型ブラインド示す斜視図である。
【図２】  防犯装置の電気的構成を示す回路図である。
【図３】  防犯装置の動作を示すフローチャート図である。
【符号の説明】
１          ヘッドボックス
３          日射遮蔽材（スラット）
４          ボトムレール
９          検出素子（揺動センサー）
１６        警報ブザー
【図１】
0003828421.tif 000002
【図２】
0003828421.tif 000003
【図３】
0003828421.tif 000004